【事件の表示】
　平成　７年特許願第３５３１３５号「ディスク装置」拒絶査定不服審判事件〔平成　９年　７月１５日出願公開、特開平　９−１８５８６３〕について、次のとおり審決する。
【結　論】
　本件審判の請求は、成り立たない。
【理　由】
Ｉ．手続の経緯
　本件審判の請求に係る特許願（以下、「本願」という）は、平成７年１２月２８日に出願されたものであって、平成１３年１２月２０日付けで、請求項１〜６に係る各発明について、特許法第２９条第２項の規定及び特許法第２９条の２の規定により特許を受けられない旨の拒絶理由の通知がなされ、平成１４年３月２７日付けで、本願は前記拒絶理由で拒絶すべきものである旨の査定がなされたものである。
　そして、平成１４年５月９日付けで、特許法第１２１条第１項の審判が請求され、平成１４年６月３日付けで手続補正書が提出されたものである。
　
　
II．補正について
　平成１４年６月３日付けの手続補正（以下、「本件補正」という。）は、却下する。
　
〔理　由〕
　１．補正の内容及び目的
　本件補正は、特許請求の範囲及び発明の詳細な説明についてするものであって、そのうち、特許請求の範囲についてするものは、補正前の請求項１に係る発明に対して、その発明が備えている「メモリ」について、
　「ジャンル選択手段によって選択されたジャンル情報を、対応するディスクネーム若しくはトラックネームと関連付けて記憶すると共に、当該対応するディスクネーム若しくはトラックネームに既に文字情報が記憶されているときには、既に記憶されている文字情報に追加してジャンル情報を記憶するメモリ」
　とあるのを
　「
前記ＵＴＯＣエリアに記録された情報を読み込んで一時的に記憶すると共に、前記
　として、その記憶する情報態様について限定しようとするものである（上記、下線部分）。
　
　よって、本件補正は、特許請求の範囲の減縮を目的とするものであって、特許法第１７条の２第４項第２号に規定された要件を満たすものと認める。
　
　２．独立特許要件について
　 1)補正後発明
　補正後の請求項１に係る発明（以下、「補正後発明」という。）は、以下のとおりのものである。
　「【請求項１】　記録音楽データの管理情報、トラック番号、ディスクネーム及びトラックネームの文字情報等が記録されるＵＴＯＣエリアを有するディスクに音楽情報等の各種情報を記録し、再生するディスク装置において、
　ディスクに音楽情報を記録中、またはディスクネームまたはトラックネームの入力中、あるいは対象となるトラックが選択されている状態においてに操作可能となされ、予め規定されるジャンル情報を選択するジャンル選択手段と、
　前記ＵＴＯＣエリアに記録された情報を読み込んで一時的に記憶すると共に、前記ジャンル選択手段によって選択されたジャンル情報を、対応するディスクネーム若しくはトラックネームと関連付けて記憶すると共に、当該対応するディスクネーム若しくはトラックネームに既に文字情報が記憶されているときには、既に記憶されている文字情報に追加してジャンル情報を記憶するメモリと、
　メモリに記憶されたジャンル情報及び付随する文字情報をＵＴＯＣエリアに記録する記録手段と、
　再生操作に伴って再生するジャンルを指定する再生ジャンル指定手段と、
　記録されたＵＴＯＣエリアから指定されたジャンルに対応する文字列を検索し、対応する文字列を含有するディスク若しくはトラックのみを再生する再生制御手段と、
を備えることを特徴とするディスク装置。」
　
　 2)刊行物及びその記載
  これに対して、原査定の拒絶の理由で引用された特開平６−２２３５４４号公報（以下、「刊行物１」という。）及び特開平６−１１１５５０号公報（以下、「刊行物２」という。）には、それぞれ、以下の記載がある。
　刊行物１は、ディジタルオーディオ再生装置に関する発明について、以下の記載がある。
　 (2-1)「【特許請求の範囲】【請求項１】ディジタルオーディオ媒体に記録されている複数の曲を再生するディジタルオーディオ再生装置において、ディジタルオーディオ媒体に記録された各曲毎のタイトル、演奏者名、曲ジャンル等の表示データを記憶する記憶手段を備えたシステムコントローラと、操作者により選択入力された表示データの信号を受けて前記記憶手段に信号を発し、前記システムコントローラよりの制御信号によりディジタルオーディオ媒体の作動を制御する再生制御手段と、再生操作時に前記記憶手段よりの信号及びディジタルオーディオ媒体よりの信号を処理し、前記システムコントローラに制御信号を発する信号処理手段とを備えて成ることを特徴とするディジタルオーディオ再生装置。」
　 (2-2)「【発明の詳細な説明】【０００１】【産業上の利用分野】本発明は、ディジタルオーディオ再生装置に関し、特に、同一のディジタルオーディオ媒体内に記録されている多数の曲の中から同一表示データの曲のみを自動選択して連続再生させるシステムを有するディジタルオーディオ再生装置に関する。
　【０００２】【従来の技術】ディジタル・コンパクト・カセット・テープ（以下ＤＣＣテープと略記する）に固定ヘッドを用いてオーディオデータを記録、再生するＤＣＣテーププレーヤや、ミニサイズのディスク（ミニディスク、以下ＭＤと略記する）にディジタルでオーディオデータを記録しておき再生するＭＤプレーヤ等のディジタルオーディオ機器が開発されている。これらのディジタルオーディオ機器において、ＤＣＣテープ、ＭＤ等のディジタルオーディオ媒体に記録されたオーディオデータ（曲）を再生するには、トラックＮＯ．（曲番）を用いて所望の曲をサーチし、サーチ後演奏（再生）を行なう。また、市販テープ（プリレコーデッドテープ）等にオーディオデータを記録した記録媒体において、所定の位置に曲名、演奏者名、曲ジャンル等の表示データが記録されている場合は、これらの表示データによって所望の（例えば同一演奏者の）曲を選択して演奏を行なう。
　【０００３】【発明が解決しようとする課題】上記のように、従来のディジタルオーディオ機器では、トラックＮＯ．で曲をサーチするので、曲が演奏されないと何の曲であるかを認識できない問題があった。また、表示データが記録されている記録媒体の場合でも、同一の表示データ（例えば同一演奏者）の曲のみを演奏したい場合、一々その表示データを再生表示させて曲を選択しなければならず、所望の曲を自動的に選択して連続的に演奏させることができなかった。
　【０００４】このような従来の問題点に鑑み、本発明は、同一のＤＣＣテープ、ＭＤ等の記録媒体に記録されている多数の曲の中から、同一表示データの曲のみを自動選択して連続再生させることができるようにしたディジタルオーディオ再生装置を提供することを目的とする。」
　 (2-3)「【０００７】【実施例】以下、図面に示した実施例に基き、本発明の構成並びに作用についてさらに詳細に説明する。
　【０００８】図１は、本発明によるディジタルオーディオ再生装置の一実施例のシステムを示すブロック図である。本実施例は、ディジタルオーディオ媒体としてＤＣＣテープを使用するＤＣＣテーププレーヤに本発明を適用したものである。
　【０００９】図中、１は複数の曲が連続記録されたＤＣＣテープ、２はＤＣＣテープ１の走行を制御するテープ走行制御部、３はＤＣＣテープ１にオーディオデータを記録、再生する固定ヘッドである。ＤＣＣテープ１には、それぞれの曲のスタート部の前にタイトル名、曲番、曲名、演奏者名等の表示データが記録されている。固定ヘッド３は、録音アンプ３１及び再生アンプ３２に接続されている。
　【００１０】４は、このＤＣＣテーププレーヤのシステムの作動を制御するシステムコントローラで、ＤＣＣテープ１に記録されている各曲の表示データを記憶し読み出し得るランダムアクセス・メモリ（ＲＡＭ）４１を内蔵している。５は、システムコントローラ４に入出力する信号を処理する信号処理部５１、その信号に対して誤り検出、符号付加、訂正処理を行なうエラー検出、符号付加、訂正部５２、及び信号の変復調を行なう変復調部５３を備えたシグナルプロセッシング部、・・・以下省略・・・」
　 (2-4)「【００１１】次に、上記のように構成された本発明のシステムのオーディオデータ再生時の作用について説明する。
　【００１２】予めオーディオデータ（曲）が録音されて販売される市販のＤＣＣテープ（プリレコーデッドテープ）で、例えば「○○○全集」というように多数の演奏者の曲が録音されたテープにおいて、同一の演奏者の曲が連続して録音されていないで分散して入っている場合、本発明のシステムによって同一演奏者の曲のみを自動選択して再生させることができる。このようなプリレコーデッドテープでは、図２に示したテープ構成の音楽データ（ＭＡＩＮ  ＤＡＴＡ）１０１の前のＳＹＳ．ＩＮＦＯ部１０２に、演奏者名その他の表示データが記録されている。同一演奏者の曲のみを再生しようとする場合は、操作者は「演奏者」を入力してシステムコントローラ４のＲＡＭ４１に記憶させ、再生操作を行なってＤＣＣテープ１に記録されている複数の曲の内、その演奏者名の表示を有する第１の曲を再生する。この時、テープ１のその曲の表示データの信号がシグナルプロセッシング部５で信号処理されてシステムコントローラ４に送られ、ＲＡＭ４１に「その演奏者名」が記憶される。その曲の再生終了後、システムコントローラ４はテープ走行制御部２に指令を発してテープ１を早送りさせ、「その演奏者名」の表示データをサーチして同一演奏者の次の曲を再生させる。以後同様にして、テープの終端まで同一演奏者の曲が次々に再生演奏される。」
　 (2-5)「【００１３】未録音のＤＣＣテープを購入して使用者が任意に録音するユーザー録音テープの場合は、図３に示したＤＣＣテープ１のＡＵＸチャンネルの曲毎のスタートＩＤ１０３の中に表示データを録音できるようになっている。ユーザーが、録音したテープ１のスタートＩＤ１０３に表示データを記録しておくことにより、前記プリレコーデッドテープの場合と同様に、本発明のシステムによって同一表示データの曲を自動選択して連続演奏させることができる。曲タイトル、演奏者名、曲ジャンル等々、種々の分類項目をユーザーが任意に設定して、さまざま選択分類再生が可能となる。」
　 (2-6)「【００１５】なお、以上の説明は、本発明をＤＣＣテーププレーヤに適用した実施例について述べたが、ＭＤ等の他のディジタルオーディオ媒体においても前記のような表示データが記録されており、また記録することが可能であるので、本発明はＤＣＣテーププレーヤに限定されるものではなく、ＭＤプレーヤ等他のディジタルオーディオ機器にも広く適用し得るものである。」
　 (2-7)「【００１６】【発明の効果】以上に説明したように、本発明のディジタルオーディオ再生装置は、ディジタルオーディオ媒体から再生される曲の所望の表示データを記憶手段に記憶し、その同一表示データを有する曲を逐次自動選択して連続再生するように構成されているので、使用者によって屡々要望されるように、一つのディジタルオーディオ媒体に記録された多数の曲の中から同一演奏者、同一ジャンル等共通の性質を有する曲のみを再生したい場合、操作者が一々曲を再生させて確認したり、表示データをサーチしたりする必要がなく、所望の曲の再生演奏を操作者の手間をかけないでスムーズに行なうことができる。」
　
　以上の記載を、特に、第１図を参照し、ディジタルオーディオ媒体としてユーザが任意に録音するミニディスク（以下、ＭＤと略す）を使用するＭＤ記録再生装置へ適用したものとするとともに、ＭＤに記録された表示データのうち、ユーザが設定した曲ジャンルと同一の曲ジャンルの曲をサーチして再生する場合を想定して整理すると、刊行物１には、結局、以下のとおりの発明（以下、刊行物１記載の発明という）が記載されているものと認める。
　「ユーザが、複数の曲とともに、各曲毎のタイトル、演奏者名、曲ジャンル等の表示データを記録したＭＤを再生するＭＤ記録再生装置において、
　ユーザが選択入力した曲の表示データとＭＤに記録された各曲毎の表示データを記憶する記憶手段を有するシステムコントローラと、
　システムコントローラから出力される制御信号によりＭＤの再生動作を制御する再生制御手段と、
　再生操作時に、記憶手段よりの信号及びＭＤよりの信号を処理し、システムコントローラに制御信号を発する信号処理手段とを備えて成り、
　所望の曲ジャンルの曲のみを再生しようとする場合、ユーザが、所望の曲ジャンルを入力すると、システムコントローラは、その所望の曲ジャンルを記憶手段に記憶し、ユーザが、再生操作を行なうと、システムコントローラは、ＭＤに記録されている複数の曲の内、その曲ジャンルの表示データを有する第１の曲をサーチして再生し、この時、ＭＤに記録されたその曲の表示データの信号は信号処理手段で信号処理されて、システムコントローラに送られ、記憶手段に所望の曲ジャンルが記憶され、その曲の再生終了後、システムコントローラは、再生制御手段に指令を発してＭＤ再生を早送りし、所望の曲ジャンルの表示データをサーチして同一曲ジャンルの次の曲を再生し、以後同様にして、同一曲ジャンルの曲を次々に再生演奏する
　ＭＤ記録再生装置。」
　
　刊行物２は、再生装置に関する発明について、以下の記載がある。
 　(2-8)「【特許請求の範囲】【請求項１】１又は複数単位の音声情報とともに各音声情報単位のタイトル情報が所定の領域に記録されているディスク状記録媒体から情報を再生することができる再生装置において、
　１又は複数の文字として任意の文字列を入力することができる入力手段と、
　ディスク状記録媒体から読み出されたタイトル情報を記憶することができる記憶手段と、
　前記入力手段から入力された文字列と前記記憶手段に保持されたタイトル情報を比較し、前記文字列と一致又は前記文字列が含まれるタイトル情報に関する情報を出力する出力手段と、
を備えたことを特徴とする再生装置。
　【請求項２】入力された文字列と一致又はその文字列が含まれるタイトル情報が複数存在した場合は、各タイトル情報を順次表示手段に表示出力できるように構成されていることを特徴とする請求項１に記載の再生装置。」
 　(2-9)「【０００２】【従来の技術】音楽等を再生することのできる再生装置として、音声信号をデジタル信号として記録するＣＤ（コンパクトディスク）や光磁気ディスク、或は磁気テープ等を記録媒体とした再生装置が知られている。これらの再生装置では、録音された楽曲等を順次再生していく他、例えばユーザーが聞きたい楽曲のトラックナンバを入力することで、その希望の楽曲のみを再生することもできるようになされている。
　【０００３】【発明が解決しようとする課題】ところが、希望の楽曲が例えば再生装置に装填したディスクの何曲目に録音されているかは、ディスクのジャケットや解説書を見なければ確認できず、例えユーザーが曲名を分かっていても、すぐにトラックナンバを入力することができず再生操作に手間取る場合が多いという問題があった。」
 　(2-10)「【０００６】【作用】音楽等の各音声情報についてその曲名等を示すタイトル情報が所定エリアに記録されているディスク状記録媒体に対応する再生装置では、ユーザーによってなされた文字入力に基づいて、ユーザーが希望する再生楽曲等を検索できる。
　【０００７】【実施例】以下、本発明の再生装置の一実施例を説明するが、まず図１、図２を用いて実施例となる記録再生装置の構成を説明し、続いて図４〜図７によりこの記録再生装置に対応する光磁気ディスクにＴＯＣ情報として書き込まれている管理データについて説明し、その後、図３により本実施例の動作を説明する。
　【０００８】この実施例はＭＯ（光磁気）ディスクを記録媒体として用いた記録再生装置で、図１は記録再生装置の要部のブロック図、図２は外観を示す平面図である。図１において１は例えば複数の楽曲（音声データ）が記録されている光磁気ディスクを示し、スピンドルモータ２により回転駆動される。・・・」
 　(2-11)「【００１１】再生動作によって、光学ヘッド３により光磁気ディスク１から検出された情報はＲＦアンプ７に供給される。ＲＦアンプ７は供給された情報の演算処理により、再生ＲＦ信号、トラッキングエラー信号、フォーカスエラー信号、絶対位置情報（光磁気ディスク１にプリグルーブ（ウォブリンググルーブ）として記録されている絶対位置情報）、アドレス情報、サブコード情報、フォーカスモニタ信号等を抽出する。そして、抽出された再生ＲＦ信号はエンコーダ／デコーダ部８に供給される。また、トラッキングエラー信号、フォーカスエラー信号はサーボ回路９に供給される。さらにフォーカスモニタ信号は、例えばマイクロコンピュータによって構成されるシステムコントローラ１１に供給される。」
 　(2-12)「【００１８】１９はユーザー操作に供されるキーが設けられた操作入力部、２０は例えば液晶ディスプレイによって構成される表示部を示す。操作入力部１９としては、図２のとおり機器筺体に表出するように録音キー５１、再生キー５２、一時停止キー５３、停止キー５４、ＡＭＳキー５５、サーチキー５６、曲名入力モードキー５８、ディスク名入力モードキー５８、日付入力モードキー５９、テンキー６１、表示送りキー６２、エンターキー６３等がユーザー操作に供されるように設けられている。テンキー６１の各数字キーにはそれぞれ３個又は２個アルファベット、或はスペースが対応され、文字入力の際に用いられる。また、表示部２０も筺体上部表面に配置されている。
　【００１９】図１における２１は光磁気ディスク１におけるＴＯＣ情報を保持するＲＡＭ（以下、ＴＯＣメモリという）である。この実施例の再生装置が対応する光磁気ディスク１としては、ＲＯＭタイプのものとユーザーが音楽データ等を記録することのできるデータ書き換え可能とされるものがあり、これらのディスクにはそのタイプに応じて、既に楽曲等のデータが記録されているエリアや未記録エリアを管理するデータ等がＴＯＣ情報として記録されている。
　【００２０】そして、このような光磁気ディスク１が装填された時点或は記録又は再生動作の直前等において、システムコントローラ１１はスピンドルモータ２及び光学ヘッド３を駆動させ、光磁気ディスク１の例えば最内周側に設定されているＴＯＣ領域のデータを抽出させる。そして、ＲＦアンプ７、エンコーダ／デコーダ部８を介してメモリコントローラ１２に供給されたＴＯＣ情報はＴＯＣメモリ２１に蓄えられ、以後その光磁気ディスク１に対する記録／再生動作の制御に用いられる。
　【００２１】例えば或る楽曲の録音を行なおうとする際には、ＴＯＣ情報の一部であるユーザーＴＯＣ（音声信号の録音、消去等に応じて書き換えられるＴＯＣ情報領域）からディスク上の未記録エリアを探し出し、ここに音声データを記録していくことができるようになされている。また、再生時には再生すべき楽曲が記録されているエリアをＴＯＣ情報から判別し、そのエリアにアクセスして再生動作を行なう。
　【００２２】ＴＯＣ情報としての構造を図４〜図６に示す。図４のデータ領域には主に予めディスクに記録された楽曲等（ＲＯＭ情報）についてのＴＯＣ情報、図５のデータ領域には主にディスクに記録された楽曲等のタイトルについてのＴＯＣ情報、図６のデータ領域には主にユーザーが録音を行なった楽曲や新たに録音可能な未記録エリアについてのＴＯＣ情報が記録されている。
　【００２３】図４〜図６の各領域は、それぞれ例えば４バイト×587 のデータ領域に構成され、ＴＯＣの領域であることを示すため先頭位置にオール０又はオール１の１バイトデータによって成る同期パターンを有するヘッダが設けられている。
　【００２４】図４のデータ領域については、ヘッダに続いて所定アドレス位置に、ディスクタイプや録音レベル、記録されている最初の楽曲の曲番（First TNO)、最後の楽曲の曲番（Last TNO) 、リードアウトスタートアドレス、Ｕ−ＴＯＣ（図６のデータ領域）のスタートアドレス、録音可能なエリアのスタートアドレス等が記録され、さらに、記録されている各楽曲等を後述する管理テーブルに対応させる各種の対応テーブル指示データ(P-TNO1 〜P-TNO255) が記録される領域が用意されている。
　【００２５】一方図６のデータ領域（Ｕ−ＴＯＣ）には、ヘッダに続いて所定アドレス位置に、セクター使用状況、ディスクＩＤ等のデータが記録され、さらに、記録されている各楽曲等を後述する管理テーブルに対応させる各種の対応テーブル指示データ(P-DFA〜P-TNO255) が記録される領域が用意されている。
　【００２６】そして図４及び図６における領域には、対応テーブル指示データ(P-TNO1 〜P-TNO255) 又は対応テーブル指示データ(P-DFA〜P-TNO255) に対応して、管理テーブルとして(01)〜(FF)までの２５５個のパーツテーブルが設けられ、それぞれのパーツテーブルには、或るセグメント（この場合、セグメントとは物理的に連続してデータが記録された部分をいう）について起点となるスタートアドレス、終端となるエンドアドレス、そのセグメント（トラック）のモード情報、及びそのセグメントが他のセグメントへ続いて連結される場合は、その連結されるセグメントのスタートアドレス及びエンドアドレスが記録されているパーツテーブルを示すリンク情報が記録できるようになされている。例えば１つの楽曲のデータ物理的に不連続に、即ち複数のセグメントにわたって記録されていても再生動作に支障はないため、ユーザーが録音する楽曲等については、録音可能エリアの効率使用等の目的から、複数セグメントにわけて記録する場合もある。ただし、あらかじめ記録される楽曲等については通常セグメント分割されることがないため、図４のようにリンク情報はすべて『(00)』とされる。
 　(2-13)「【００３４】図４及び図６の領域に記録されるP-TNO1〜P-TNO255は、光磁気ディスク１上に記録されたそれぞれの楽曲について示しており、例えば対応テーブル指示データP-TNO1では１曲目のデータが記録された１又は複数のセグメントのうちの時間的に先頭となるセグメントが示されたパーツテーブルを指定している。なお、図４の領域では予め記録されている楽曲等のデータ、図６の領域ではユーザーが録音した楽曲等のデータについて示すことになる。
　【００３５】例えば１曲目とされた楽曲がディスク上でトラックが分断されずに（つまり１つのセグメントで）記録されている場合は、その１曲目の記録領域は対応テーブル指示データP-TNO1で示されるパーツテーブルにおけるスタート及びエンドアドレスとして記録されている。
　【００３６】また、例えば２曲目とされた楽曲がディスク上で複数のセグメントに離散的に記録されている場合は、その楽曲の記録位置を示すため各セグメントが時間的な順序に従って指定される。つまり、対応テーブル指示データP-TNO2に指定されたパーツテーブルから、さらにリンク情報によって他のパーツテーブルが順次時間的な順序に従って指定されて、リンク情報が『(00)』となるパーツテーブルまで連結される（上記、図７と同様の形態）。このように例えば２曲目を構成するデータが記録された全セグメントが順次指定されて記憶されていることにより、このＵ−ＴＯＣデータを用いて、２曲目の再生時や、その２曲目の領域へのオーバライトを行なう際に、光学ヘッド３及び磁気ヘッド６をアクセスさせ離散的なセグメントから連続的な音楽情報を取り出したり、記録エリアを効率使用した記録が可能になる。
　【００３７】また、図５の領域には、記録された各楽曲に相当する文字テーブル指示データP-TNA1〜P-TNA255、及びこの文字テーブル指示データP-TNA1〜P-TNA255によって指定される文字テーブルが用意されている。文字テーブルにはアルバムタイトル等を示すディスクネームや、楽曲タイトル等を示すトラックネームが記録される。例えば文字テーブル指示データP-TNA1によって指定される文字テーブルには第１曲目の曲名が記録されていることになる。
　【００３８】このようなＴＯＣ情報が記録された光磁気ディスク１に対する本実施例の記録再生装置は、ＴＯＣメモリ２１に読み込んだＴＯＣ情報を用いてディスク上の記録領域の管理を行なって記録／再生動作を制御する。そして、特に、表示部２０に対してはＴＯＣ情報として読み出された数字や文字による情報を表示することができるようになされている。
　【００３９】光磁気ディスク１には録音された楽曲等に対応して、その楽曲の曲名やディスク名（アルバムタイトル）等の文字情報を保持する上記図５の領域が設けられているが、ユーザーが新たに録音した楽曲についても、その楽曲に対応させて曲名等を書き込むことができる。例えばユーザーが録音時等において操作部１９のエンキー６１等を操作してアルファベット文字情報を入力することにより、その文字情報は光磁気ディスク１のＴＯＣ領域に書き込まれる。そして、再生時においては、例えば光磁気ディスク１がこの記録再生装置に装填された時点でＴＯＣ領域の情報が読み出され、管理データやＲＯＭ化された文字情報とともに、ユーザーＴＯＣ領域に書き込まれた文字情報も読み出されてＴＯＣメモリ２１に取り込まれるため、システムコントローラ１１はその情報に基づいて表示部２０における数値、文字等の表示を行なうことができる。」
 　(2-14)「【００４０】このような構成の記録再生装置において実現される動作として、ユーザーが入力した曲名により再生を行なう動作（仮に曲名サーチ動作という）について図３により説明する。曲名サーチモードが開始されると、まずシステムコントローラ１１は光磁気ディスク１から前記図４〜図６に示したＴＯＣ情報を読み込んでＴＯＣメモリ２１に書き込ませる(F101)。なお、既に読み込んであればここで行なう必要はない。」
 　(2-15)「【００４１】次に、ユーザーがテンキー６１及びエンターキー６３を操作して文字列を入力することを待機する(F102)。文字列が入力されたら、この文字列とＴＯＣメモリ２１における各楽曲に対応した曲名情報（トラックネーム）を比較して、この文字列と一致する曲名、又はこの文字列を含む曲名が存在するかを検索する(F103)。
　【００４２】例えば『THIS BOY』『THIS TIME 』『EMOTIONS』・・・・という曲名の楽曲が記録されていたとするとき、ユーザーが『THIS BOY』と入力したら、一致する曲名が存在するため、その曲名（トラックネーム）となる文字データを表示用に内部のバッファレジスタに取り込む。或はユーザーが『THIS』と入力した場合は、『THIS BOY』と『THIS TIME 』が該当することになり、これらをバッファレジスタに取り込む(F105)。なお、該当曲名がない場合はその旨の表示を行なって(F114)、処理を終了する
　【００４３】システムコントローラ１１は１又は複数の該当曲名を取り込んだら、変数ｂをその該当曲数にセットし（例えば『THIS BOY』と『THIS TIME 』が該当した場合はｂ＝２）、又変数ａ＝１にセットする(F106,F107) 。そして、第ａの該当曲名を表示部２０に表示する。例えば『THIS BOY』と『THIS TIME 』が該当する場合、第１の該当曲名である『THIS BOY』を表示する。
　【００４４】ここでユーザーが再生キー５２により再生操作を行なったら、『THIS BOY』が曲名とされている楽曲のトラックナンバに基づいて前記図４又は図６のデータからその楽曲が記録されている領域のアドレスを判別し、サーチを行なって再生動作を開始し、曲名サーチ動作を終了する (F109→F110) 。
　【００４５】また、該当曲名が表示されている際に、ユーザーが表示送りキー６２を操作した場合は(F111)、変数ａをインクリメントし(F113)、ステップF108に戻って、次の該当曲名を表示する。例えば『THIS TIME 』が表示される。なお、この『THIS TIME 』表示の際（ｂ＝２，ａ＝２）に再び表示送りキー６２が操作された場合は表示を最初の該当曲に戻すために、ａ＝１として (F111→F112→F107) 、ステップF108に戻ることになる。
　【００４６】つまり以上のルーチンにより、ユーザーの入力した文字列に該当する曲名が表示され（該当曲名が複数ある場合は順次表示され）、再生操作を行なった際に表示されている曲名がサーチされて再生されることになる。これにより、ユーザーは聞きたい曲の曲名、もしくはその曲名の一部が分かっていれば、その曲が何曲目に録音されているかを確認しなくとも、手軽に再生できることになる。
　【００４７】なお、該当曲名が複数存在する場合は表示送り操作により順次表示されるようにしたが、表示部２０の表示領域に余裕がある場合は、複数の曲名を一度に表示させるようにしてもよい。この場合、ユーザーが表示された曲名の中から再生曲を選択できるようにする。」
 　(2-16)「【００５２】なお、実施例では記録再生装置において本発明を採用した例をあげたが、再生専用装置であっても良い。また、光磁気ディスクに限らず、記録可能な又はＲＯＭタイプの光ディスクや磁気テープに対応した再生装置であっても本発明を採用できる。また、楽曲を記録した記録媒体のみならず、各種データを記録した記録媒体に対応する再生装置にも応用できる。
　【００５３】【発明の効果】以上説明したように本発明は、ユーザーは記録された音声情報のタイトルの全部又は一部を入力すれば、該当する音声情報が検索され表示されて、その該当曲の中から希望の曲を指定して再生操作できるため、一々聞きたい曲が何番目に録音されているかを確認する必要はなく、再生利便性は向上するという効果がある。」
　
　 3)対比・判断
　補正後発明と刊行物１記載の発明とを対比する。
　 (a)いずれも、ディスク状記録媒体に記録された音楽（曲）データのうち、ディスクに記録された文字情報を基に、ユーザが指定したジャンルと同一のジャンルの曲を検索（サーチ）して再生しようとするものである点で共通する。
　 (b)ユーザが任意に録音できる、いわゆる、ミニディスク（ＭＤ）が、光磁気ディスクであることは、ごく周知のことである。
　 (c)光磁気ディスクについての刊行物２の記載（【０００７】【００１９】〜【００２１】【００２４】〜【００２５】【００３７】〜【００４０】等）にもみられるように、刊行物１記載の発明において、ユーザがＭＤに記録した各曲毎のタイトル、演奏者名、曲ジャンル等の表示データは、管理データ等とともに、ＭＤの記録領域のうち、いわゆる、ＴＯＣ領域、または、その一部であるユーザＴＯＣ（ＵＴＯＣ）領域に記録される情報であることは明らかであるから、刊行物１記載の発明における「ＭＤ」が、補正後発明における「記録音楽データの管理情報、トラック番号、ディスクネーム及びトラックネームの文字情報等が記録されるＵＴＯＣエリアを有するディスク」に相当することは明らかである。従って、刊行物１記載の発明におけるシステムコントローラが有する「ユーザが選択入力した曲の表示データとＭＤに記録された各曲毎の表示データを記憶する記憶手段」が、表示データ（ジャンル情報）と既にディスクに記録されている文字情報との関連付けなどの記憶態様はともかく、補正後発明に対する「ＵＴＯＣエリアに記録された情報を読み込んで一時的に記憶するメモリ」に対応することは明らかである。
　 (d)また、刊行物１記載の発明は、曲のタイトル、演奏者名、曲ジャンル等の表示データは、ユーザの入力操作によって、ＭＤに記録されるものであるから、曲ジャンルを付与するための表示データ入力手段及び入力された表示データのＭＤ上への記録手段は当然に備えるべきものである。
　しかも、刊行物１記載の発明において、曲ジャンルの入力・記録操作は、所定の曲に対してなされるものであり、所定の曲が選択された状態、即ち、対象となる曲のトラックが選択されている状態で操作可能であることは当然のことであるから、刊行物１記載発明が備えるべき曲ジャンルに対応する表示データ入力手段及び記録手段が、補正後発明におけるジャンル選択手段及び記録手段に対応することは明らかである。
　 (e)刊行物１記載の発明において、所望の曲ジャンルの曲を再生しようとする場合、ユーザが「所望の曲ジャンル」を入力して行なうものであるから、そのための入力手段は当然に備えるものであり、その入力手段が、補正後発明の再生ジャンル指定手段に相当することは明らかである。
　 (f)そして、刊行物１記載の発明は、システムコントローラ及びその制御信号によりＭＤの再生動作を制御する再生制御手段により、ユーザが入力した曲ジャンルと同一の曲ジャンルの曲をサーチして該当曲のトラックを再生するものであるから、システムコントローラ及び再生制御手段が、補正後発明における再生制御手段に相当することは明らかである。
　
　［一致点］
　「記録音楽データの管理情報、トラック番号、ディスクネーム及びトラックネームの文字情報等が記録されるＵＴＯＣエリアを有するディスクに音楽情報等の各種情報を記録し、再生するディスク装置において、
　ディスクに音楽情報を記録中、またはディスクネームまたはトラックネームの入力中、あるいは対象となるトラックが選択されている状態においてに操作可能となされ、ジャンル情報を入力するジャンル入力手段と、
　前記ＵＴＯＣエリアに記録された情報を読み込んで一時的に記憶するメモリと、
　ジャンル情報及び付随する文字情報をＵＴＯＣエリアに記録する記録手段と、
　再生操作に伴って再生するジャンルを指定する再生ジャンル指定手段と、
　記録されたＵＴＯＣエリアから指定されたジャンルに対応する文字列を検索し、対応する文字列を含有するディスク若しくはトラックのみを再生する再生制御手段と、
を備えることを特徴とするディスク装置。」
　
　［相違点］
　 (i)ジャンル入力手段について、補正後発明では、予め規定されるジャンル情報から選択するジャンル選択手段としているのに対して、刊行物１記載の発明では、曲ジャンルの入力手段について具体的に規定していない点。
　 (ii)メモリでの記憶内容及び態様について、補正後発明では、ジャンル選択手段によって選択されたジャンル情報を、対応するディスクネーム若しくはトラックネームと関連付けて記憶すると共に、当該対応するディスクネーム若しくはトラックネームに既に文字情報が記憶されているときには、既に記憶されている文字情報に追加してジャンル情報を記憶するようにしているのに対して、刊行物１記載の発明では、メモリへの記憶内容について、ユーザが選択入力した曲の表示データとＭＤに記録された各曲毎の表示データを記憶するとしているものの、記憶態様について具体的に規定していない点。
　 (iii)ジャンル情報のディスクへの記録について、補正後発明では、メモリに記憶されたジャンル情報及び付随する文字情報をＵＴＯＣエリアに記録する記録手段を用いているのに対して、刊行物１記載の発明では、記憶手段の記憶内容との関係を規定していない点。
　
　［判断］
　相違点(i)について、
　刊行物１記載の発明において、曲ジャンルは、曲のタイトル、演奏者名などとともにユーザが入力し、ＭＤに記録するものである。いずれも、文字情報として入力されるものである。曲ジャンルは、曲のリズム、形式、歌部分の有無などによる曲の分類手法であって、種々の分類手法（例えば、クラシックのジャンルでは、交響曲（シンフォニー）、管弦楽曲、協奏曲（コンチェルト）、室内楽曲、器楽曲、歌劇（オペラ）、声楽・合唱曲など）によって、予め規定できることは明らかである。
　曲ジャンルを入力するのに、ジャンル名を構成する文字列を個々に入力することなく、予め規定された複数のジャンルの中から選択して入力することは、入力操作を簡略化しようとする場合、当業者であれば、ごく容易に採用し得る範囲内のことであり、刊行物１記載の発明においても、格別の困難性もなく適宜に採用し得る範囲内のことと認める。
　
　相違点(ii)について、
　刊行物１記載の発明において、ユーザが、ＭＤに記録した各曲毎のタイトル、演奏者名、曲ジャンル等の表示データは、個々の曲に対応して記録するものであり、ＭＤから読み込まれた表示データは、対応する曲毎に記憶手段に記憶されることは明らかである。
　そして、対応する曲への新たな曲ジャンルの付与は、当該曲の管理データ、表示データに対する編集操作に相当するものであって、新たに選択入力された曲ジャンル情報は、既に、ＭＤに記録されている他のデータと関連づけられて記憶することは当然のことであり、又、文字情報の編集操作で、編集対象である文字情報を作業領域としてのメモリ上に呼び出し、編集し、新たに入力操作された文字情報を既に、記憶した文字情報に追加して記憶することもごく周知のことである。
　結局、メモリでの記憶態様について、補正後発明が採用した点は、刊行物１記載の発明においても、格別の困難性もなく適宜に採用し得る範囲内のことと認める。
　
　相違点(iii)について、
　刊行物１記載の発明において、新たな曲ジャンルの付与は、表示データに対する編集操作に相当するものであることは上記したとおりであり、刊行物１記載の発明において、記録手段について、メモリ上で編集されたジャンル情報及び付随する文字情報をＭＤのＵＴＯＣ領域に書き戻す記録手段を採用することは、格別の困難性もなく適宜に採用し得る範囲内のことと認める。　
　
　以上のとおりであるから、補正後発明は、刊行物１及び刊行物２記載の発明に基づいて、当業者が容易に発明し得たものと認められ、特許法第２９条第２項の規定より、特許出願の際独立して特許を受けることができないものである。
　　
　３．補正についての結び
　したがって、本件補正は、平成１５年改正前特許法第１７条の２第５項において準用する同法第１２６条第４項の規定に違反するので、特許法第１５９条第１項の規定において読み替えて準用する同法第５３条第１項の規定により却下すべきものである。
　
　
III．本願発明について
　１．本願発明
　平成１４年６月３日付けの手続補正は、上記のとおり却下されたので、本願請求項１に係る発明は、平成１４年３月８日付けの手続補正書によって補正された明細書及び図面からみて、特許請求の範囲請求項に記載された以下のとおりのものと認める。
「【請求項１】　記録音楽データの管理情報、トラック番号、ディスクネーム及びトラックネームの文字情報等が記録されるＵＴＯＣエリアを有するディスクに音楽情報等の各種情報を記録し、再生するディスク装置において、
　ディスクに音楽情報を記録中、またはディスクネームまたはトラックネームの入力中、あるいは対象となるトラックが選択されている状態においてに操作可能となされ、予め規定されるジャンル情報を選択するジャンル選択手段と、
　ジャンル選択手段によって選択されたジャンル情報を、対応するディスクネーム若しくはトラックネームと関連付けて記憶すると共に、当該対応するディスクネーム若しくはトラックネームに既に文字情報が記憶されているときには、既に記憶されている文字情報に追加してジャンル情報を記憶するメモリと、
　メモリに記憶されたジャンル情報及び付随する文字情報をＵＴＯＣエリアに記録する記録手段と、
　再生操作に伴って再生するジャンルを指定する再生ジャンル指定手段と、
　記録されたＵＴＯＣエリアから指定されたジャンルに対応する文字列を検索し、対応する文字列を含有するディスク若しくはトラックのみを再生する再生制御手段と、
を備えることを特徴とするディスク装置。」（以下、「本願発明」という。）
　
　２．刊行物及びその記載
　これに対して、原査定の拒絶の理由に引用された各刊行物及びその記載は、前記（II．２．2)）したとおりである。
　
　３．対比・判断
　本願発明は、前記II．で検討した本願補正後発明から、「メモリ」について、「
前記ＵＴＯＣエリアに記録された情報を読み込んで一時的に記憶すると共に、前記
　そうすると、本願発明の構成要件を全て含み、さらに他の構成要件を付加したものに相当する本願補正後発明が、前記「II．〔理由〕３．3)対比・判断」に記載したとおり、刊行物１及び刊行物２に記載された発明に基づいて当業者が容易に発明をすることができたものと認められるから、本願発明も、同様の理由により刊行物１及び刊行物２に記載された発明に基づいて当業者が容易に発明をすることができたものである
　
　
　４．むすび
　以上のとおりであるから、本願請求項１に係る発明は、特許法２９条第２項の規定により特許を受けることができないとしてした原査定は妥当なものである。
　
　よって、結論のとおり審決する。